(57)【要約】【課題】  能率的で迅速な採取（サンプリング）作業を実現するとともに、乳の無駄を招くなどの不具合を解消して適切な後処理を実現する。【解決手段】  乳取込口部３及び底部に有する乳取出口部４を除いて密閉構造に形成した乳容器部２と、乳取込口部３に設けた逆止弁部５と、乳容器部２の上部に設けた外部と内部を連通する通気口部６ｈ及びこの通気口部６ｈを選択的に開閉可能な開閉弁部６ｖを有する開閉機構部６と、乳取出口部４に設け、この乳取出口部４を閉塞する第一切換位置Ｐ１，乳容器部２の内部に所定流量の空気（外気）Ａを吸入可能又は乳容器部２の内部の乳Ｍを外部に取出可能にする第二切換位置Ｐ２，乳容器部２の内部を送乳ラインＬｍに設けた戻し口部３２に対して接続可能にする第三切換位置Ｐ３にそれぞれ選択的に切換可能な切換弁部７とを備える。【選択図】  図１
2014100069.tif 000002
【特許請求の範囲】
【請求項１】
採取した乳を収容する乳容器部と、この乳容器部の上部に配し、かつ送乳ラインを流通する乳の一部を採取可能な採取口部に対して接続可能な乳取込口部とを、少なくとも備えてなるミルクサンプリング装置であって、前記乳取込口部及び底部に有する乳取出口部を除いて密閉構造に形成した乳容器部と、前記乳取込口部に設けた逆止弁部と、前記乳容器部の上部に設けた外部と内部を連通する通気口部及びこの通気口部を選択的に開閉可能な開閉弁部を有する開閉機構部と、前記乳取出口部に設け、この乳取出口部を閉塞する第一切換位置，前記乳容器部の内部に所定流量の空気（外気）を吸入可能又は前記乳容器部の内部の乳を外部に取出可能にする第二切換位置，前記乳容器部の内部を前記送乳ラインに設けた戻し口部に対して接続可能にする第三切換位置にそれぞれ選択的に切換可能な切換弁部とを具備してなることを特徴とするミルクサンプリング装置。
【請求項２】
前記採取口部は、前記送乳ラインを構成するミルクパイプ又はミルクチューブに設けることを特徴とする請求項１記載のミルクサンプリング装置。
【請求項３】
前記採取口部は、前記送乳ラインの中途に接続する乳量計に設けることを特徴とする請求項１記載のミルクサンプリング装置。
【請求項４】
前記乳量計は、流入口から流入する乳を貯留可能な計量容器部と、この計量容器部の内部に貯留される乳の液面を検出する液面検出部と、前記計量容器部の流出口を開閉可能な弁駆動部により駆動されるバルブ機構部と、少なくとも前記液面検出部が所定高さの液面を検出したなら前記バルブ機構部を開閉制御する制御系とを備え、前記採取口部は、前記流出口から流出する乳の一部を採取可能に臨ませてなることを特徴とする請求項３記載のミルクサンプリング装置。
【請求項５】
前記逆止弁部は、乳流路部内に少なくとも進退自在に配した弁体部と、この弁体部の上流側における前記乳流路部に設けることにより、前記弁体部が当接可能な弁座部と、前記弁体部の下流側における前記乳流路部に配することにより、前記弁体部を係止しつつ乳の流通を許容可能な弁体係止部とを備えることを特徴とする請求項１〜４のいずれかに記載のミルクサンプリング装置。
【請求項６】
前記弁座部と前記弁体部間には、当該弁座部と当該弁体部の当接により形成され、所定流量の通気を許容する通気孔部を備えることを特徴とする請求項５記載のミルクサンプリング装置。
【請求項７】
前記弁体係止部は、弾性線材を折曲及び／又は湾曲させて形成し、両端に前記乳流路部側に係止可能な一対のピン部を有するとともに、当該一対のピン部の相対位置が弾性変位可能な係止部材を備えることを特徴とする請求項５記載のミルクサンプリング装置。
【請求項８】
前記開閉機構部は、弾性素材により形成し、一端側が前記通気口部に外部から当接するとともに、他端側を固定し、一端側をマニュアル操作可能に構成した開閉弁部を備えることを特徴とする請求項１〜７のいずれかに記載のミルクサンプリング装置。
【請求項９】
前記開閉弁部は、前記通気口部を閉塞可能な吸盤状の閉塞体部を一体に有することを特徴とする請求項８記載のミルクサンプリング装置。
【請求項１０】
前記切換弁部は、前記第二切換位置に切換えた際に形成され、かつ前記乳容器部の内部に所定流量の空気（外気）の流入を許容するとともに、当該空気の流入する向きを設定した通気路を備えることを特徴とする請求項１〜９のいずれかに記載のミルクサンプリング装置。
【請求項１１】
前記切換弁部を第三切換位置に切換えた際に接続される前記送乳ラインであって、前記乳取出口部に接続される戻し口部が臨む当該送乳ラインには、前記戻し口部の上流側を覆うカバー部を備えることを特徴とする請求項１〜１０のいずれかに記載のミルクサンプリング装置。
【発明の詳細な説明】
【技術分野】
【０００１】
本発明は、搾乳機に接続された送乳ラインに付設して搾乳された乳の一部を採取するミルクサンプリング装置に関する。
【背景技術】
【０００２】
従来、搾乳機により搾乳された乳の一部を採取するためのミルクサンプリング装置としては、特許文献１で開示される乳量計に付設してサンプリングを行うサンプリング手段を含むミルクサンプリング装置が知られている。
【０００３】
同文献１で開示されるサンプリング手段（ミルクサンプリング装置）は、サンプリング手段を乳量計に設ける場合であっても、乳量計の大型化を回避し、低コストに実施可能にすることを目的としたものであり、具体的には、送乳ラインの中途に接続し、流入口から流入する乳を貯留可能な計量容器部と、この計量容器部の内部に貯留される乳の液面を検出する液面検出部と、計量容器部の流出口を開閉可能な弁機構部を備える乳量計に対して、円筒状に形成した周面部における縦方向中間部の少なくとも一個所に括れ部を形成し、この括れ部の内周面を流出口とした計量容器部を備えるとともに、括れ部の内周面の下方に、流出口から流出した乳の一部を採取する分取口を配し、この分取口から採取した乳を計量容器部の外部に導くサンプリング手段を設けたものであり、計量容器部から外部に導かれた乳は、サンプリングチューブを介して試料容器に収容される。
【先行技術文献】
【特許文献】
【０００４】
【特許文献１】特開２０１１−１２５３２２号公報
【発明の概要】
【発明が解決しようとする課題】
【０００５】
しかし、上述した従来のサンプリング手段（ミルクサンプリング装置）は、次のような解決すべき課題が存在した。
【０００６】
第一に、サンプリング手段により採取された乳は試料容器に収容されるため、乳の検査を行う際には、試料容器をサンプリング手段から取り外した後、容器を振ったり容器から別容器への移し替えをして撹拌をした後、小さな試料容器に採取する。この場合、試料容器に収容された乳は、搾乳時の一定期間に乳を少量ずつ採取したものであるため、乳を十分に撹拌することにより乳全体を均一化させている。このように、従来のミルクサンプリング装置は、乳のサンプリングを行った後の作業が煩雑化する傾向があり、能率的で迅速な採取作業を行うには限界があった。
【０００７】
第二に、乳の検査は、通常、試料容器内におけるサンプリングした乳の一部を使用するに留まるため、採取後は乳が残留する。結局、この場合、残留した乳は廃棄するか或いは他の容器に移し替えて子牛に与える等の後処理が必要となる。しかし、乳の廃棄は乳の無駄を招くとともに、子牛に与えるとしても品質の低下した乳を与える虞れがある。結局、いずれの場合も望ましい後処理と言えるものではなく、適切な後処理を実現する観点からは更なる改善の余地があった。
【０００８】
本発明は、このような背景技術に存在する課題を解決したミルクサンプリング装置の提供を目的とするものである。
【課題を解決するための手段】
【０００９】
本発明に係るミルクサンプリング装置１は、上述した課題を解決するため、採取した乳Ｍを収容する乳容器部２と、この乳容器部２の上部に配し、かつ送乳ラインＬｍを流通する乳Ｍの一部を採取可能な採取口部３１に対して接続可能な乳取込口部３とを、少なくとも備えてなるミルクサンプリング装置であって、乳取込口部３及び底部２ｄに有する乳取出口部４を除いて密閉構造に形成した乳容器部２と、乳取込口部３に設けた逆止弁部５と、乳容器部２の上部に設けた外部と内部を連通する通気口部６ｈ及びこの通気口部６ｈを選択的に開閉可能な開閉弁部６ｖを有する開閉機構部６と、乳取出口部４に設け、この乳取出口部４を閉塞する第一切換位置Ｐ１，乳容器部２の内部に所定流量の空気（外気）Ａを吸入可能又は乳容器部２の内部の乳Ｍを外部に取出可能にする第二切換位置Ｐ２，乳容器部２の内部を送乳ラインＬｍに設けた戻し口部３２に対して接続可能にする第三切換位置Ｐ３にそれぞれ選択的に切換可能な切換弁部７とを具備することを特徴とする。
【００１０】
この場合、発明の好適な態様により、採取口部３１には、送乳ラインＬｍを構成するミルクパイプ（又はミルクチューブ）Ｌｍｐに設けた採取口部３１を適用してもよいし、送乳ラインＬｍの中途に接続する乳量計５１に設けた採取口部３１を適用してもよい。この際、乳量計５１は、流入口５２から流入する乳Ｍを貯留可能な計量容器部５３と、この計量容器部５３の内部に貯留される乳Ｍの液面を検出する液面検出部５４と、計量容器部５３の流出口５５を開閉可能な弁駆動部５６により駆動される弁機構部５７と、少なくとも液面検出部５４が所定高さの液面を検出したなら弁機構部５７を開閉制御する制御系５８とを備えた形態が望ましく、採取口部３１は、流出口５５から流出する乳Ｍの一部を採取可能に設けることができる。
【００１１】
一方、逆止弁部５は、乳流路部１１内に少なくとも進退自在に配した弁体部１２と、この弁体部１２の上流側における乳流路部１１に設けることにより、弁体部１２が当接可能な弁座部１３と、弁体部１２の下流側における乳流路部１１に配することにより、弁体部１２を係止しつつ乳Ｍの流通を許容可能な弁体係止部１４とを備えて構成できる。この際、弁座部１３と弁体部１２間には、当該弁座部１３と当該弁体部１２の当接により形成され、所定流量の通気を許容する通気孔部１５を設けることができるとともに、弁体係止部１４には、弾性線材Ｗを折曲及び／又は湾曲させて形成し、両端に乳流路部１１側に係止可能な一対のピン部Ｗｐ，Ｗｑを有するとともに、当該一対のピン部Ｗｐ，Ｗｑの相対位置が弾性変位可能な係止部材１４ｓを設けることができる。また、開閉機構部６には、弾性素材により形成し、一端１６ｓ側が通気口部６ｈに外部から当接するとともに、他端１６ｔ側を固定し、一端１６ｓ側をマニュアル操作可能に構成した開閉弁部６ｖを設けることができる。なお、この開閉弁部６ｖには、通気口部６ｈを閉塞可能な吸盤状の閉塞体部６ｖｓを一体に設けることが望ましい。他方、切換弁部７には、第二切換位置Ｐ２に切換えた際に形成され、かつ乳容器部２の内部に所定流量の空気Ａの流入を許容するとともに、当該空気Ａの流入する向きＦｉを設定した通気路１７を設けることができる。さらに、この切換弁部７を第三切換位置Ｐ３に切換えた際に接続される送乳ラインＬｍであって、乳取出口部４に接続される戻し口部３２が臨む当該送乳ラインＬｍには、戻し口部３２の上流側を覆うカバー部１８を設けることができる。
【発明の効果】
【００１２】
このような構成を有する本発明に係るミルクサンプリング装置１によれば、次のような顕著な効果を奏する。
【００１３】
（１）  切換弁部７を第二切換位置Ｐ２に切換えることにより、乳容器部２の内部に所定流量の空気（外気）Ａを吸入し、気泡を発生させることにより乳容器部２に収容された乳Ｍを撹拌できるとともに、この後、開閉機構部６を操作することにより、乳容器部２の内部の乳Ｍを検査に必要な量だけ外部の試料容器に取出すことができる。このように、乳Ｍのサンプリングを行った後、小さな試料容器に採取するまでの作業が単純化され、能率的で迅速な作業を行うことができる。
【００１４】
（２）  切換弁部７を第三切換位置Ｐ３に切換えることにより、乳容器部２の内部を送乳ラインＬｍに設けた戻し口部３２に対して接続できるため、乳容器部２の内部に残留した乳Ｍをそのまま送乳ラインＬｍに戻すことができる。したがって、従来のような残留した乳Ｍを廃棄したり或いは子牛に与える等の後処理が不要になり、乳Ｍの無駄を招いたり、品質の低下した乳Ｍを子牛に与えてしまうなどの不具合を解消でき、適切な後処理を実現できる。
【００１５】
（３）  好適な態様により、採取口部３１として、送乳ラインＬｍを構成するミルクパイプ（又はミルクチューブ）Ｌｍｐに設けた採取口部３１を適用すれば、ミルクサンプリング装置１は、ミルクパイプ（又はミルクチューブ）Ｌｍｐの任意の位置を選定して接続できるため、設置性（融通性）及び汎用性に優れたミルクサンプリング装置１として提供できる。
【００１６】
（４）  好適な態様により、採取口部３１として、送乳ラインＬｍの中途に接続する乳量計５１に設けた採取口部３１を適用すれば、乳量計５１とミルクサンプリング装置１は一体化が可能になるため、管理の容易化及びメンテナンス性の向上に寄与できるとともに、設備全体のシンプル化及び省スペース化にも寄与できる。
【００１７】
（５）  好適な態様により、乳量計５１として、流入口５２から流入する乳Ｍを貯留可能な計量容器部５３と、この計量容器部５３の内部に貯留される乳Ｍの液面を検出する液面検出部５４と、計量容器部５３の流出口５５を開閉可能な弁駆動部５６により駆動される弁機構部５７と、少なくとも液面検出部５４が所定高さの液面を検出したなら弁機構部５７を開閉制御する制御系５８とを備えて構成するとともに、採取口部３１を、当該乳量計５１の流出口５５から流出する乳Ｍの一部を採取可能に設ければ、一定量の乳Ｍを安定に採取でき、採取不足となるなどの不具合を回避できるとともに、バラツキの少ない正確で安定したサンプリング量を確保できる。
【００１８】
（６）  好適な態様により、逆止弁部５を、乳流路部１１内に少なくとも進退自在に配した弁体部１２と、この弁体部１２の上流側における乳流路部１１に設けることにより、弁体部１２が当接可能な弁座部１３と、弁体部１２の下流側における乳流路部１１に配することにより、弁体部１２を係止しつつ乳Ｍの流通を許容可能な弁体係止部１４とを設けて構成すれば、乳Ｍの流動性等に左右されることのない安定に動作する逆止弁部５を構成できる。
【００１９】
（７）  好適な態様により、弁座部１３と弁体部１２間に、当該弁座部１３と当該弁体部１２の当接により形成され、所定流量の通気を許容する通気孔部１５を設ければ、弁体部１２と弁座部１３が当接して閉じた後、弁体部１２が付着して戻らなくなる（戻りにくくなる）不具合を回避でき、逆止弁部５の開時には弁体部１２を確実かつ速やかに落下させることができる。
【００２０】
（８）  好適な態様により、弁体係止部１４に、弾性線材Ｗを折曲及び／又は湾曲させて形成し、両端に乳流路部１１側に係止可能な一対のピン部Ｗｐ，Ｗｑを有するとともに、当該一対のピン部Ｗｐ，Ｗｑの相対位置が弾性変位可能な係止部材１４ｓを設ければ、係止部材１４ｓを乳流路部１１に対して容易に着脱できるため、係止部材１４ｓのメンテナンスや洗浄等を容易に行うことができる。また、係止部材１４ｓを交換することにより逆止弁部５の開時における弁体部１２と弁座部１３の間隔を容易かつ任意に設定できる。さらに、弁体部１２が係止部材１４ｓに接触した際には係止部材１４ｓが揺れるため、乳流路部１１側と一対のピン部Ｗｐ，Ｗｑの係止部分に汚れが堆積するなどの不具合を防止できる。
【００２１】
（９）  好適な態様により、開閉機構部６に、弾性素材により形成し、一端１６ｓ側が通気口部６ｈに外部から当接するとともに、他端１６ｔ側を固定し、一端１６ｓ側をマニュアル操作可能に構成した開閉弁部６ｖを設ければ、比較的簡易な構造により低コストかつ容易に実施できる。
【００２２】
（１０）  好適な態様により、開閉弁部６ｖに、通気口部６ｈを閉塞可能な吸盤状の閉塞体部６ｖｓを一体に設ければ、吸盤の形状を有する閉塞体部６ｖｓにより、通気口部６ｈに対する密着性を高めることができるため、閉塞時の空気もれこみを低減し、安定した乳Ｍの分取（採取）を行うことができる。
【００２３】
（１１）  好適な態様により、切換弁部７に、第二切換位置Ｐ２に切換えた際に形成され、かつ乳容器部２の内部に所定流量の空気Ａの流入を許容するとともに、当該空気Ａの流入する向きＦｉを設定した通気路１７を設ければ、気泡の発生方向を多様化できるため、気泡を垂直方向に浮揚させるのみならず、例えば、螺旋方向に発生させるなど、撹拌効果をより高めることができる。
【００２４】
（１２）  好適な態様により、切換弁部７を第三切換位置Ｐ３に切換えた際に接続される送乳ラインＬｍであって、乳取出口部４に接続される戻し口部３２が臨む当該送乳ラインＬｍに、戻し口部３２の上流側を覆うカバー部１８を設ければ、送乳ラインＬｍ側の乳Ｍが戻し口部３２に入り込む逆流現象を防止し、乳Ｍの合流を円滑かつ安定に行わせることができる。
【図面の簡単な説明】
【００２５】
【図１】本発明の好適実施形態に係るミルクサンプリング装置の全体を示す側面断面図、
【図２】同ミルクサンプリング装置における乳取込口部の抽出拡大断面図、
【図３】同ミルクサンプリング装置における開閉機構部の抽出拡大断面図、
【図４】同ミルクサンプリング装置における切換弁部の抽出拡大断面図、
【図５】同ミルクサンプリング装置の使用時における第一の接続形態を示す一部断面を含む側面接続図、
【図６】同ミルクサンプリング装置の使用時における第二の接続形態を示す一部断面を含む側面接続図、
【図７】同ミルクサンプリング装置における切換弁部を第一切換位置に切換えた際の作用説明図、
【図８】同ミルクサンプリング装置における切換弁部を第二切換位置に切換えた際の作用説明図、
【図９】同ミルクサンプリング装置における切換弁部を第二切換位置に切換え、かつ開閉機構部を開側に操作した際の作用説明図、
【図１０】同ミルクサンプリング装置における切換弁部を第三切換位置に切換え、かつ開閉機構部を開側に操作した際の作用説明図、
【図１１】同ミルクサンプリング装置における乳取込口部に備える弁体係止部の係止部材の変更例を示す外観図、
【図１２】同ミルクサンプリング装置における切換弁部の変更例を示す断面図、
【発明を実施するための形態】
【００２６】
次に、本発明に係る好適実施形態を挙げ、図面に基づき詳細に説明する。
【００２７】
まず、本実施形態に係るミルクサンプリング装置１の構成について、図１〜図４を参照して具体的に説明する。
【００２８】
図１は、ミルクサンプリング装置１の全体構造を示す。２は採取した乳Ｍを収容する乳容器部であり、上端を開口した容器本体部２ｍとこの容器本体部２ｍの上端に装着した蓋体部２ｃからなる。容器本体部２ｍは透明又は半透明のプラスチック或いはガラス等の素材より全体を底付きの円筒状に形成するとともに、蓋体部２ｃも透明又は半透明のプラスチック或いはガラス等の素材より平板状に形成する。蓋体部２ｃと容器本体部２ｍはネジ結合等により着脱することができる。また、蓋体部２ｃには乳取込口部３を設けるとともに、容器本体部２ｍの底部２ｄには乳取出口部４を設ける。これにより、乳取込口部３と乳取出口部４を除いて乳容器部２は密閉構造となる。
【００２９】
乳取込口部３は、図２に示すように、蓋体部２ｃの表裏面に対して直角に貫通する管体状の乳流路部１１を一体に形成し、この乳流路部１１により乳取込口部３を構成する。蓋体部２ｃに対して外部側に位置する乳流路部１１は乳Ｍが供給されるミルクチューブＴｓが接続される接続管部１１ｓとなる。一方、蓋体部２ｃに対して内部側に位置する乳流路部１１は乳容器部２の内部に臨み、主に逆止弁部５として構成する。逆止弁部５は、乳流路部１１内に少なくとも進退自在に配した球状の弁体部１２と、この弁体部１２の上流側（図１中、上側）における乳流路部１１に設けることにより、弁体部１２が当接可能なテーパ面により形成した弁座部１３と、弁体部１２の下流側における乳流路部１１に配することにより、弁体部１２を係止しつつ乳Ｍの流通を許容可能な弁体係止部１４とを備える。逆止弁部５を構成するに際して、このような構造を採用すれば、乳Ｍの流動性等に左右されることのない安定に動作する逆止弁部５を構成できる利点がある。
【００３０】
また、弁座部１３と弁体部１２間には、当該弁座部１３と当該弁体部１２の当接により形成され、所定流量の通気を許容する通気孔部１５を設ける。具体的には、図２に示すように、弁座部１３のテーパ面に、軸心方向に沿った複数の直線溝１５ｓ，１５ｓを形成する。これにより、球状の弁体部１２が当接しても直線溝１５ｓ，１５ｓは埋まることがなく、通気孔部１５として機能する。このような通気孔部１５を設ければ、弁体部１２と弁座部１３が当接して閉じた後、弁体部１２が付着して戻らなくなる（戻りにくくなる）不具合を回避でき、逆止弁部５の開時には弁体部１２を確実かつ速やかに落下させることができる利点がある。
【００３１】
さらに、弁体係止部１４は、乳流路部１１の下端部（下流側端部）付近の１８０〔゜〕対向する径方向位置に設けた一対の保持孔１４ｐ，１４ｑと、この保持孔１４ｐ，１４ｑに保持される係止部材１４ｓを備える。また、係止部材１４ｓには、弾性線材Ｗを折曲及び／又は湾曲させて形成したコイルスプリング１４ｓｃを用いる。このため、このコイルスプリング１４ｓｃは両端側の軸心位置には、乳流路部１１側の保持孔１４ｐ，１４ｑに対して挿入可能な一対のピン部Ｗｐ，Ｗｑを有する。このようなコイルスプリング１４ｓｃを用いることにより、一対のピン部Ｗｐ，Ｗｑの相対位置は弾性変位可能になるため、図２に実線で示すコイルスプリング１４ｓｃのように、手で圧縮させることができる。したがって、コイルスプリング１４ｓｃを乳流路部１１側に装着する際には、手で圧縮させ、乳流路部１１の下端口から内部に入れた後、各ピン部Ｗｐ，Ｗｑを各保持孔１４ｐ，１４ｑに挿入すればよく、仮想線で示すコイルスプリング１４ｓｃのように、乳流路部１１に対して容易に装着できるとともに、反対の手順を行うことにより容易に離脱できる。
【００３２】
このような係止部材１４ｓ（コイルスプリング１４ｓｃ）を用いれば、係止部材１４ｓのメンテナンスや洗浄等を容易に行うことができる。また、係止部材１４ｓを交換することにより、逆止弁部５の開時における弁体部１２と弁座部１３の間隔、即ち、弁体部１２の上下移動ストロークＨｓ（図２参照）を容易かつ任意に設定できる。さらに、弁体部１２が係止部材１４ｓに接触した際には係止部材１４ｓが揺れるため、乳流路部１１側に対する一対のピン部Ｗｐ，Ｗｑの係止部分に汚れが堆積するなどの不具合を防止できる利点がある。
【００３３】
一方、蓋体部２ｃの他の位置には、図３に示す開閉機構部６を設ける。開閉機構部６は、乳容器部２の上部となる蓋体部２ｃに設けた外部と内部を連通する通気口部６ｈと、この通気口部６ｈを選択的に開閉可能な開閉弁部６ｖを備える。開閉弁部６ｖは、ゴム素材等の弾性素材により短冊板状に一体形成し、他端１６ｔ側を固定ネジ２１により蓋体部２ｃの上面に固定するとともに、一端１６ｓ側を通気口部６ｈに対して外部から当接させる。この場合、開閉弁部６ｖの一端１６ｓ側における通気口部６ｈに対向する面には、図１及び図３に示すように、当該通気口部６ｈを閉塞可能な吸盤状の閉塞体部６ｖｓを一体に設ける。これにより、吸盤状の閉塞体部６ｖｓが通気口部６ｈを直接閉塞する。このように、開閉弁部６ｖに閉塞体部６ｖｓを一体に設ければ、吸盤の形状を有する閉塞体部６ｖｓにより、通気口部６ｈに対する密着性を高めることができるため、閉塞時の空気もれこみを低減し、安定した乳Ｍの分取（採取）を行える利点がある。
【００３４】
また、開閉弁部６ｖの一端１６ｓ側の一部１６ｓｐは蓋体部２ｃの外周縁から更に外方に突出させる。これにより、ユーザーは、開閉弁部６ｖの一端１６ｓ側を手で持ち、図３に仮想線で示すように、上方へ持ち上げることにより、閉塞体部６ｖｓを通気口部６ｈから離間させることができる。一方、手を離せば、開閉弁部６ｖの一端１６ｓ側は弾性復帰し、実線で示すように、閉塞体部６ｖｓが通気口部６ｈを閉塞する。即ち、通気口部６ｈを選択的に開閉できる。このように、開閉機構部６に、弾性素材により形成し、一端１６ｓ側が通気口部６ｈに外部から当接するとともに、他端１６ｔ側を固定し、一端１６ｓ側をマニュアル操作可能に構成した開閉弁部６ｖを設ければ、比較的簡易な構造により低コストかつ容易に実施できるとともに、ユーザーは開閉弁部６ｖを容易にマニュアル操作できる利点がある。
【００３５】
他方、容器本体部２ｍの底部２ｄの内面は、中心側が下方に位置するテーパ面に形成し、中心位置に乳取出口部４を設ける。乳取出口部４は、底部２ｄの中心位置から下方に突出した筒形の結合口部２２を有するとともに、この結合口部２２の下方に配した切換弁部７を有する。この切換弁部７は、横向きのカップ状に形成した弁ハウジング２３を有し、この弁ハウジング２３の上端には上方に突出する乳入口２３ｉを一体形成するとともに、弁ハウジング２３の側面に位置する閉塞端面２３ｓの中央には横方に突出する第二乳出口２５を一体形成する。そして、乳入口２３ｉと結合口部２２はゴム素材により形成した筒状のカップリング部材２４により結合（連結）する。
【００３６】
また、弁ハウジング２３の開口端面から内部に操作弁体２６を挿入する。操作弁体２６は、弁ハウジング２３の内部に収容される円柱形の弁本体２６ｍと弁ハウジング２３の開口端面から外部に突出するツマミ部２６ｈを備え、このツマミ部２６ｈは手で操作できるように偏平に形成する。そして、ツマミ部２６ｈの先端であって、一側に偏した位置には第一乳出口２７を設け、この第一乳出口２７は、ツマミ部２６ｈ及び弁本体２６ｍの内部に形成した第一乳路２８の一端となるとともに、この第一乳路２８の他端２８ｓは、第一乳出口２７側に対して他側の位置となる弁本体２６ｍの外周面に開口する。第一乳路２８の内部には、図４に示すように、球体３４を自在に収容して気泡発生部３５を構成する。この場合、球体３４に対して他端２８ｓ側の第一乳路２８は小径に形成するとともに、球体３４が当接する部位にはテーパ面２８ｓｔを形成して弁座機能を持たせる。さらに、このテーパ面２８ｓｔには、第一乳路２８の軸方向に沿った一又は二以上の通気溝１７ｓを形成する。これにより、テーパ面２８ｓｔに球体３４が当接した場合であっても、通気溝１７ｓは埋まることがなく、乳容器部２の内部に所定流量の空気（外気）Ａの流入を許容する通気路１７が形成される。なお、３３は球体３４の落下防止部である。また、閉塞端面２３ｓの内面に対向する弁本体２６ｍの端面の中央には第二乳路２９の一端２９ｓが開口するとともに、第二乳路２９の他端２９ｔは弁本体２６ｍの外周面であって、他端２８ｓに対して１８０〔゜〕反対側の外周面に開口する。
【００３７】
これにより、切換弁部７は、ツマミ部２６ｈを回し操作すれば、乳取出口部４を閉塞する第一切換位置Ｐ１，乳容器部２の内部に所定流量の空気（外気）Ａを吸入可能又は乳容器部２内の乳Ｍを外部に取出可能にする第二切換位置Ｐ２，乳容器部２内を送乳ラインＬｍに設けた戻し口部３２に対して接続可能にする第三切換位置Ｐ３にそれぞれ選択的に切換えることができる。なお、切換弁部７の機能及びこれに基づく作用は、後述する使用方法の中で説明する。
【００３８】
次に、このような構成を有する本実施形態に係るミルクサンプリング装置１の接続方法（設置方法）について、図５及び図６を参照して説明する。
【００３９】
ミルクサンプリング装置１を使用するに際しては、図５及び図６に示すように接続することができる。いずれの接続においても、基本接続形態は、ミルクサンプリング装置１の上部に設けた乳取込口部３（接続管部１１ｓ）を、送乳ラインＬｍを流通する乳Ｍの一部を採取可能な採取口部３１に対して接続するとともに、ミルクサンプリング装置１の底部に設けた乳取出口部４（第二乳出口２５）を、送乳ラインＬｍに設けた戻し口部３２に対して接続する。
【００４０】
まず、図５は、送乳ラインＬｍを構成するミルクパイプＬｍｐに接続する例を示す。即ち、採取口部３１を、送乳ラインＬｍを構成するミルクパイプＬｍｐに設けた場合の接続例である。なお、例示は、接続を容易にするため、接続管ユニットＵｐを用いた場合を示す。この接続管ユニットＵｐは、所定長さのミルクパイプＬｍｐを有し、このミルクパイプＬｍｐの一端側に採取口部３１を設けるとともに、他端側に戻し口部３２を設けて構成する。この場合、採取口部３１は、接続管ユニットＵｐに流通する乳Ｍの一部が採取口部３１に分流するように構成する。また、図５に示す一部抽出拡大図のように、戻し口部３２が臨むミルクパイプＬｍｐには、戻し口部３２の上流側を覆うフード状のカバー部１８を設ける。このようなカバー部１８を設ければ、送乳ラインＬｍ側の乳Ｍが戻し口部３２に入り込む逆流現象を防止し、乳Ｍの合流を円滑かつ安定に行わせることができる利点がある。
【００４１】
これにより、接続管ユニットＵｐにミルクサンプリング装置１を接続するに際しては、図５に示すように、ミルクパイプＬｍｐの採取口部３１とミルクサンプリング装置１の接続管部１１ｓを、取込側のミルクチューブＴｓにより接続するとともに、ミルクパイプＬｍｐの戻し口部３２とミルクサンプリング装置１の第二乳出口２５を、戻し側のミルクチューブＴｒにより接続する。
【００４２】
したがって、ミルクサンプリング装置１を送乳ラインＬｍに接続する際には、接続管ユニットＵｐのミルクパイプＬｍｐを接続すればよく、容易に接続することができる。即ち、まず、送乳ラインＬｍの任意の位置を切断して、上流側の送乳ラインＬｍｕと下流側の送乳ラインＬｍｄに分割する。なお、この場合、送乳ラインＬｍの位置は、接続されている乳量計（不図示）よりも下流側の位置が望ましい。そして、分割した上流側の送乳ラインＬｍｕと下流側の送乳ラインＬｍｄ間に、接続管ユニットＵｐのミルクパイプＬｍｐを介在させ、上流側の送乳ラインＬｍｕにおける下流側端部とミルクパイプＬｍｐの上流側端部を、継手部材Ｊｕにより接続（連結）するとともに、ミルクパイプＬｍｐの下流側端部と下流側の送乳ラインＬｍｄにおける上流側端部を、継手部材Ｊｄにより接続（連結）する。この状態を図５に示す。
【００４３】
よって、図５の場合、図示を省略した搾乳機により搾乳された乳Ｍは、送乳ラインＬｍを矢印方向に送られ、ミルクパイプＬｍｐを流れる。そして、ミルクパイプＬｍｐを流れる乳Ｍは、その一部が採取口部３１に分流し、ミルクサンプリング装置１によりサンプリング可能となる。したがって、このミルクパイプＬｍｐは送乳ラインＬｍの一部となる。このように、採取口部３１として、送乳ラインＬｍを構成するミルクパイプＬｍｐに設けた採取口部３１を適用すれば、ミルクサンプリング装置１は、ミルクパイプＬｍｐの任意の位置を選定して接続できるため、設置性（融通性）及び汎用性に優れたミルクサンプリング装置１として提供できる利点がある。
【００４４】
他方、図６は、送乳ラインＬｍの中途に接続する乳量計５１に付設する例を示す。即ち、採取口部３１を、送乳ラインＬｍの中途に接続する乳量計５１に設けた場合の接続例である。例示の乳量計５１は、図６に示すように、基本構成として、流入口５２から流入する乳Ｍを貯留可能な計量容器部５３と、この計量容器部５３の内部に貯留される乳Ｍの液面を検出する液面検出部５４と、計量容器部５３の流出口５５を開閉可能な弁駆動部５６により駆動される弁機構部５７と、少なくとも液面検出部５４が所定高さの液面を検出したなら弁機構部５７を開閉制御する制御系５８とを備えている。
【００４５】
なお、より具体的な構成は次のようになる。乳量計５１において、５３は計量容器部であり、全体を円筒状に形成するとともに、周面部における縦方向中間部の所定位置に、上下二つの括れ部６１ｕ，６１ｄを有する。これにより、括れ部６１ｕよりも上側が気液分離室Ｒｓとなり、括れ部６１ｕと括れ部６１ｄ間が計量室Ｒｍとなり、括れ部６１ｄよりも下側が気液混合緩衝室Ｒｄになるとともに、括れ部６１ｕの内周面が気液分離室Ｒｓと計量室Ｒｍ間を連通させる中間口６２となり、括れ部６１ｄの内周面が計量室Ｒｍと気液混合緩衝室Ｒｄ間を連通させる流出口５５となる。
【００４６】
気液分離室Ｒｓは、上端付近の周面部の外面から接線方向に突出し、上流側の送乳ラインＬｍｕを接続する流入口５２を有する。これにより、流入口５２から気液分離室Ｒｓの内部に流入した乳Ｍは、気液分離室Ｒｓにおける周面部の内壁面に沿って螺旋状に流れる。また、計量室Ｒｍは、上面部を周面部側が下になる傾斜面に形成するとともに、下面部を周面部側が上になる傾斜面に形成する。これにより、計量室Ｒｍの内部は上下がテーパ面に囲まれる形状となる。したがって、この計量室Ｒｍは、実際の使用環境（設置環境）において、乳量計５１が傾斜する場合であっても傾斜により発生する測定誤差を排除でき、精度の高い乳量測定を行うことができる。一方、計量容器部６１の内部には弁機構部５７を配設する。この弁機構部５７は、流出口５５及び中間口６２に挿通するとともに、上端口が気液分離室Ｒｓの上端に臨み、かつ下端口が気液混合緩衝室Ｒｄに臨むパイプシャフト６５を備え、このパイプシャフト６５により気液分離室Ｒｓと気液混合緩衝室Ｒｄが連通する。パイプシャフト６５は弁駆動部５６により昇降する。パイプシャフト６５の外周面上側には第一弁部６６を設けるとともに、外周面下側には第二弁部６７を設け、第一弁部６６と第二弁部６７は計量室Ｒｍ内に位置させる。これにより、第一弁部６６は計量室Ｒｍと気液分離室Ｒｓ間の中間口６２を開閉可能となり、第二弁部６７は計量室Ｒｍと気液混合緩衝室Ｒｄ間の流出口５５を開閉可能となる。
【００４７】
この場合、弁駆動部５６は、パイプシャフト６５の上端を固定したダイヤフラムを内蔵するとともに、このダイヤフラムの上側に吸気室５６ｒを有する。この吸気室５６ｒは切換バルブ６８を介して大気側又は真空ポンプ６９側に選択的に接続でき、この切換バルブ６８は制御系５８を構成する制御部７１により切換制御される。さらに、気液混合緩衝室Ｒｄは、上面部を周面部側が下になる傾斜面に形成するとともに、底面部を周面部側が上になる傾斜面に形成し、基本的な形態は計量室Ｒｍと同じになる。したがって、気液混合緩衝室Ｒｄの内部は上下がテーパ面に囲まれる形状となり、気液混合緩衝室Ｒｄから乳Ｍが送出される際には計量容器部５３が傾斜した状態であっても乳Ｍが残留することがなくなる。７２は気液混合緩衝室Ｒｄに設けた乳送出口部であり、所定流量以下の流量により乳Ｍを流出させ、かつパイプシャフト６５から流入した気液分離室Ｒｓの空気Ａに混合して送り出す送出口７３を有する。液面検出部５４は、三本の電極５４ｐ…を有しており、制御部７１に接続することにより、液面の高さを検出することができる。
【００４８】
そして、流出口５５を形成する内周縁部５５ｓの下方には、流出口５５から流出した乳Ｍの一部を採取する分取筒７５を設ける。この分取筒７５の上端が分取口７５ｉとなり、この分取口７５ｉは内周縁部５５ｓの直下に位置させる。分取筒７５は気液混合緩衝室Ｒｄの底面部Ｒｄｄから起立するとともに、下端口は外部に臨ませ、接続部７５ｅとして機能させる。したがって、この分取筒７５が、分取口７５ｉから採取した乳Ｍを外部に導く採取口部３１となる。なお、７５ａは分取筒７５の上端に設けた空気取込口を示す。
【００４９】
この乳量計５１は、図６に示すように、送乳ラインＬｍの中途に接続して使用する。この場合、流入口５２に、送乳ラインＬｍにおける上流側の送乳ラインＬｍｕを接続するとともに、乳送出口部７２の外側端部に下流側の送乳ラインＬｍｄを接続する。また、ミルクサンプリング装置１を乳量計５１に接続するに際しては、図６に示すように、ミルクサンプリング装置１の接続管部１１ｓと乳量計５１の接続部７５ｅ（採取口部３１）を、取込側のミルクチューブＴｓにより接続するとともに、ミルクサンプリング装置１の第二乳出口２５と下流側の送乳ラインＬｍｄに設けた戻し口部３２を、戻し側のミルクチューブＴｒにより接続する。この場合、戻し口部３２は、この戻し口部３２を一体に設けた継手ユニットＵｊを接続して設ける。即ち、図６に示すように、下流側の送乳ラインＬｍｄを、任意の位置で切断して、上送乳ラインＬｍｄｕと下送乳ラインＬｍｄｄに分割する。そして、分割した上送乳ラインＬｍｄｕと下送乳ラインＬｍｄｄを、再度、継手ユニットＵｊを介して接続（連結）すれば、送乳ラインＬｍの任意の位置に戻し口部３２を設けることができる。
【００５０】
よって、図６の場合、図示を省略した搾乳機により搾乳された乳Ｍは、送乳ラインＬｍｕを送られ、流入口５２から乳量計５１に流入する。計量初期では、弁駆動部５６の吸気室５６ｒは、切換バルブ６８を介して大気に接続されるため、弁機構部５７は下方へ変位している。したがって、中間口６２は開き、流出口５５は閉じているため、流入した乳Ｍは計量室Ｒｍに貯留される。そして、乳Ｍの液面が、中間口６２を越え、液面検出部５４（電極５４ｐ…）により検出される高さに達すれば、制御部７１は切換バルブ６８を切換制御し、弁駆動部５６の吸気室５６ｒを真空ポンプ６９に接続する。これにより、弁駆動部５６に内蔵するダイヤフラムが上方変位して弁機構部５７を上方へ変位させる。この結果、中間口６２は閉じ、流出口５５が開くため、計量室Ｒｍの乳Ｍは気液混合緩衝室Ｒｄに流入する。この際、一部の乳Ｍが分取口７５ｉに流入し、ミルクサンプリング装置１によりサンプリング可能となる。また、弁機構部５７が上方へ変位した後、設定した所定時間が経過すれば、制御部７１は切換バルブ６８を切換制御し、弁駆動部５６の吸気室５６ｒを大気側に接続する。これにより、弁機構部５７は下方へ変位する。以上の動作が繰り返される。
【００５１】
このように、採取口部３１として、送乳ラインＬｍの中途に接続する乳量計５１に設けた採取口部３１を適用すれば、乳量計５１とミルクサンプリング装置１は一体化が可能になるため、管理の容易化及びメンテナンス性の向上に寄与できるとともに、設備全体のシンプル化及び省スペース化にも寄与できる利点がある。特に、乳量計５１として、流入口５２から流入する乳Ｍを貯留可能な計量容器部５３と、この計量容器部５３の内部に貯留される乳Ｍの液面を検出する液面検出部５４と、計量容器部５３の流出口５５を開閉可能な弁駆動部５６により駆動される弁機構部５７と、少なくとも液面検出部５４が所定高さの液面を検出したなら弁機構部５７を開閉制御する制御系５８とを備えて構成するとともに、採取口部３１を、当該乳量計５１の流出口５５から流出する乳Ｍの一部を採取可能に設ければ、一定量の乳Ｍを安定に採取でき、採取不足となるなどの不具合を回避できるとともに、バラツキの少ない正確で安定したサンプリング量を確保できる利点がある。
【００５２】
次に、本実施形態に係るミルクサンプリング装置１の使用方法及び機能について、図７〜図１０を参照して説明する。なお、使用方法は、図５及び図６に示したいずれの接続方法にも適用できる。
【００５３】
まず、図７は、サンプリング中（搾乳中）の状態を示す。この場合、切換弁部７は、ツマミ部２６ｈを回し操作し、乳取出口部４を閉塞する第一切換位置Ｐ１に切換える。第一切換位置Ｐ１では、図７に示すように、乳入口２３ｉは弁本体２６ｍにより遮断される。したがって、乳取出口部４は閉塞された状態となる。一方、乳取込口部３は送乳ラインＬｍ側に接続されているため、乳容器部２の内部は同圧の真空状態（吸引状態）となり、弁体部１２は落下して逆止弁部５は開状態となる。この結果、搾乳された乳Ｍは送乳ラインＬｍを送られるとともに、乳Ｍの一部は採取口部３１から取込まれ、ミルクチューブＴｒを通り、乳取込口部３（乳流路部１１）から乳容器部２に進入して貯留される。
【００５４】
そして、図８に示すように、乳容器部２の内部に乳Ｍが貯留されれば、検査のための乳Ｍを必要量だけ取出すことができる。この場合、切換弁部７のツマミ部２６ｈを回し操作し、乳容器部２の内部に所定流量の空気（外気）Ａを吸入可能にする第二切換位置Ｐ２に切換える。第二切換位置Ｐ２では、図８に示すように、第一乳路２８の他端２８ｓが乳入口２３ｉに連通接続される。この際、乳容器部２の内部は第一乳路２８を通して大気に連通するが、乳容器部２の内部は吸引状態のため、球体３４は吸引されることにより、弁座機能を有するテーパ面２８ｓｔに当接する。これにより、気泡発生部３５が機能し、乳容器部２の内部には、通気路１７を通して空気（外気）Ａが吸入され、生成される気泡Ａｏが乳容器部２の内部を浮揚する。通気路１７の大きさ（開口面積，数量）は、任意に選定できるため、撹拌効果が大きくなるように、予め実験等により最適化することができる。このように、切換弁部７を第二切換位置Ｐ２に切換えれば、乳取出口部４側から気泡Ａｏを生成し、貯留された乳Ｍに対する撹拌を行うことができる。
【００５５】
この後、図９に示すように、撹拌された乳Ｍから検査に必要な量だけ取り出すことができる。即ち、切換弁部７を第二切換位置Ｐ２に切換え、所定時間継続させることにより、十分な撹拌が行われたなら、切換弁部７を第二切換位置Ｐ２の状態に維持しつつ、図９に示すように、開閉弁部６ｖを手で持ち上げることにより通気口部６ｈを開状態にする。これにより、通気口部６ｈから乳容器部２の内部に空気（外気）Ａが大量に進入するため、乳容器部２の内部は大気状態になる。この結果、逆止弁部５の弁体部１２は送乳ラインＬｍ側（上方）に吸引され、逆止弁部５は閉状態となる。したがって、乳容器部２の内部の乳Ｍは、第一乳路２８を通して外部に取出可能となる。この際、球体３４はテーパ面２８ｓｔから離れ、落下防止部３３に係止することにより、第一乳路２８は大気に開放される。このように、ユーザーは開閉弁部６ｖを手でマニュアル操作することにより任意の乳量を取り出すことができるため、試料容器を、第一乳出口２７の下方に位置させ、開閉弁部６ｖを手で開操作することにより、検査に必要な乳Ｍの量だけ試料容器に取出すことができる。
【００５６】
一方、図１０に示すように、乳容器部２の内部に残った乳Ｍは、送乳ラインＬｍに戻すことができる。この場合、切換弁部７のツマミ部２６ｈを回し操作し、乳容器部２の内部を送乳ラインＬｍに設けた戻し口部３２に対して接続可能にする第三切換位置Ｐ３に切換える。第三切換位置Ｐ３では、図１０に示すように、第二乳路２９の他端２９ｔが乳入口２３ｉに接続され、乳入口２３ｉは第二乳路２９を介して第二乳出口２５に連通するとともに、さらに、戻し側のミルクチューブＴｒを介して送乳ラインＬｍに連通する。したがって、ユーザーが開閉弁部６ｖを操作し、通気口部６ｈを開状態にすれば、通気口部６ｈから乳容器部２の内部に空気（外気）Ａが大量に進入し、乳容器部２の内部は大気状態になる。この結果、逆止弁部５の弁体部１２が送乳ラインＬｍ側に吸引され、逆止弁部５は閉状態になるとともに、第二乳出口２５に対して、ミルクチューブＴｒ側から吸引されるため、乳容器部２の内部に残留した乳Ｍは、第二乳路２９及びミルクチューブＴｒを通して送乳ラインＬｍに戻される。
【００５７】
このように、本実施形態に係るミルクサンプリング装置１によれば、切換弁部７を第二切換位置Ｐ２に切換えることにより、乳容器部２の内部に所定流量の空気（外気）Ａを吸入し、気泡を発生させることにより乳容器部２に収容された乳Ｍを撹拌できるとともに、この後、開閉機構部６を操作することにより、乳容器部２の内部の乳Ｍを検査に必要な量だけ外部の試料容器に取出すことができる。このように、乳Ｍのサンプリングを行った後、小さな試料容器に採取するまでの作業が単純化され、能率的で迅速な作業を行うことができる。また、切換弁部７を第三切換位置Ｐ３に切換えることにより、乳容器部２の内部を送乳ラインＬｍに設けた戻し口部３２に対して接続できるため、乳容器部２の内部に残留した乳Ｍをそのまま送乳ラインＬｍに戻すことができる。したがって、従来のような残留した乳Ｍを廃棄したり或いは子牛に与える等の後処理が不要になり、乳Ｍの無駄を招いたり、品質の低下した乳Ｍを子牛に与えてしまうなどの不具合を解消でき、適切な後処理を実現できる。
【００５８】
次に、本実施形態に係るミルクサンプリング装置１における各部の変更例について、図１１及び図１２を参照して説明する。
【００５９】
図１１（ａ），（ｂ）は、乳取込口部３に備える弁体係止部１４の係止部材１４ｓの変更例を示す。図１１（ａ）は、図２に示した係止部材１４ｓに対して、ターン数の少ないコイルスプリング１４ｓｃｅとして形成した点が異なるとともに、コイルスプリング１４ｓｃｅの両端に設ける一対のピン部Ｗｐ，Ｗｑの向きを反対、即ち、図２のピン部Ｗｐ，Ｗｑは、一対の保持孔１４ｐ，１４ｑに対して内側から挿入可能に形成したが、図１１（ａ）のピン部Ｗｐ，Ｗｑは、一対の保持孔１４ｐ，１４ｑに対して外側から挿入可能に形成した点が異なる。なお、図１１（ａ）の形態はサイズが大きくなるも着脱操作しやすい利点がある。
【００６０】
また、図１１（ｂ）は、図１１（ａ）の係止部材１４ｓに対して、コイルスプリング１４ｓｃｅの代わりに、弁体部１２を係止可能なジグザグ形状部１４ｓｍｅに形成した点が異なる。このように、係止部材１４ｓの形状は、弁体部１２を係止可能であれば、様々な形状により形成することができる。
【００６１】
一方、図１２は、切換弁部７の変更例を示す。図１２に示す切換弁部７は、図４に示した切換弁部７に対して、球体３４の代わりに円柱体３４ｅを用い、乳入口２３ｉの直下に配した点が異なるとともに、円柱体３４ｅの向きを垂直方向とし、上部の外周面をテーパ面３４ｅｔに形成した点が異なる。したがって、円柱体３４ｅのテーパ面３４ｅｔが当接する弁座機能を有するテーパ面２８ｓｔに対しては面接触する。なお、円柱体３４ｅは昇降変位を許容するように、第一乳路２８の径を大きくし、内壁面から複数のガイド条８１…を突出形成した。これにより、円柱体３４ｅはガイド条８１…によりガイドされて昇降変位するとともに、下降した際には乳Ｍの通過が許容される。また、テーパ面３４ｅｔには一又は二以上の通気溝１７ｓ…形成して通気路１７（気泡発生部３５ｅ）を構成した。この際、通気溝１７ｓ…は、軸心方向に対して角度を持たせ、乳容器部２側に流入する空気Ａの向きＦｉを設定した。例示の場合、気泡発生部３５ｅが機能する際は、乳容器部２の内部に所定流量の空気（外気）Ａの流入が許容されるとともに、空気Ａの流入する向きＦｉを傾斜されたため、乳入口２３ｉ（乳容器部２）の内部において、螺旋状の気泡Ａｏを発生させることができる。このように、空気Ａの流入する向きＦｉを設定した通気路１７を設ければ、気泡の発生方向を多様化できるため、気泡を垂直方向に浮揚させるのみならず、例示のように、螺旋方向に発生させるなど、撹拌効果をより高めることができる。なお、図１１及び図１２において、図１〜図４と同一部分には同一符号を付してその構成を明確にするとともに、その詳細な説明は省略する。
【００６２】
以上、好適実施形態について詳細に説明したが、本発明は、このような実施形態に限定されるものではなく、細部の構成，形状，素材，数量，手法等において、本発明の要旨を逸脱しない範囲で、任意に変更，追加，削除することができる。例えば、採取口部３１は、送乳ラインＬｍを構成するミルクパイプＬｍｐに設けた場合を示したが、このミルクパイプＬｍｐにはミルクチューブも含まれる。また、乳量計５１の形態は例示であり、各種形態の乳量計を適用できる。さらに、開閉機構部６の形態も任意であり、例えば、レバー操作等により開閉する形態であってもよい。一方、切換弁部７も同様の機能を有するものであれば、例えば、押ボタンを操作することにより電動で切換わる形態など、各種形態の切換弁部７を利用できる。
【産業上の利用可能性】
【００６３】
本発明に係るミルクサンプリング装置は、搾乳機に接続された送乳ラインを有する各種搾乳システムに利用できる。
【符号の説明】
【００６４】
１：ミルクサンプリング装置，２：乳容器部，３：乳取込口部，４：乳取出口部，５：逆止弁部，６：開閉機構部，６ｈ：通気口部，６ｖ：開閉弁部，６ｖｓ：閉塞体部，７：切換弁部，１１：乳流路部，１２：弁体部，１３：弁座部，１４：弁体係止部，１４ｓ：係止部材，１５：通気孔部，１６ｓ：開閉弁部の一端，１６ｔ：開閉弁部の他端，１７：通気路，１８：カバー部，３１：採取口部，３２：戻し口部，５１：乳量計，５２：流入口，５３：計量容器部，５４：液面検出部，５５：流出口，５６：弁駆動部，５７：弁機構部，５８：制御系，Ｆｉ：空気の流入する向き，Ｍ：乳，Ｌｍ：送乳ライン，Ｌｍｐ：ミルクパイプ（又はミルクチューブ），Ｐ１：第一切換位置，Ｐ２：第二切換位置，Ａ：空気（外気），Ｐ３：第三切換位置，Ｗ：弾性線材，Ｗｐ：ピン部，Ｗｑ：ピン部
【図１】
2014100069.tif 000003
【図２】
2014100069.tif 000004
【図３】
2014100069.tif 000005
【図４】
2014100069.tif 000006
【図５】
2014100069.tif 000007
【図６】
2014100069.tif 000008
【図７】
2014100069.tif 000009
【図８】
2014100069.tif 000010
【図９】
2014100069.tif 000011
【図１０】
2014100069.tif 000012
【図１１】
2014100069.tif 000013
【図１２】
2014100069.tif 000014